(57)【要約】【課題】ＣＡ通信において、新規ＤＬ  ＣＣを追加したケースにおいて、当該ＤＬ  ＣＣから推定されるパスロスに基づいて算出されるＰｏｗｅｒ  ｈｅａｄｒｏｏｍに係るＵＬ  ＣＣにおける適切なスケジューリングを早急に行う。【解決手段】本発明に係る移動通信方法は、無線基地局ｅＮＢが、移動局ＵＥに対して、新規ＤＬ  ＣＣの追加を指示する「ＲＲＣ  Ｃｏｎｎｅｃｔｉｏｎ  Ｒｅｃｏｎｆｉｇｕｒａｔｉｏｎ」を送信する工程と、移動局ＵＥが、「ＲＲＣ  Ｃｏｎｎｅｃｔｉｏｎ  Ｒｅｃｏｎｆｉｇｕｒａｔｉｏｎ」に応じて、新規ＤＬ  ＣＣから推定されるパスロスに基づいて、Ｐｏｗｅｒ  ｈｅａｄｒｏｏｍを算出する工程と、移動局ＵＥが、無線基地局ｅＮＢに対して、Ｐｏｗｅｒ  ｈｅａｄｒｏｏｍを含む「ＭＡＣ  Ｃｏｎｔｒｏｌ  Ｅｌｅｍｅｎｔ」を送信する工程とを有する。【選択図】図４
2011250479.tif 000002
【特許請求の範囲】
【請求項１】
移動局が、無線基地局との間で、搬送波周波数が異なる複数の下りリンクキャリア及び複数の上りリンクキャリアを用いた通信を行う移動通信方法であって、
前記無線基地局が、前記移動局に対して、新規下りリンクキャリアの追加を指示する指示信号を送信する工程と、
前記移動局が、前記指示信号に応じて、前記新規下りリンクキャリアから推定されるパスロスに基づいて、上りリンク共有チャネルにおける所要の送信電力の推定値と該移動局の最大送信電力との差分情報を算出する工程と、
前記移動局が、前記無線基地局に対して、前記差分情報を含む制御情報を送信する工程とを有することを特徴とする移動通信方法。
【請求項２】
移動局が、無線基地局との間で、搬送波周波数が異なる複数の下りリンクキャリア及び複数の上りリンクキャリアを用いた通信を行う移動通信方法であって、
前記無線基地局が、前記移動局に対して、所定下りリンクキャリアのアクティブ状態への変更を指示する指示信号を送信する工程と、
前記移動局が、前記指示信号に応じて、前記所定下りリンクキャリアから推定されるパスロスに基づいて、上りリンク共有チャネルにおける所要の送信電力の推定値と該移動局の最大送信電力との差分情報を算出する工程と、
前記移動局が、前記無線基地局に対して、前記差分情報を含む制御情報を送信する工程とを有することを特徴とする移動通信方法。
【請求項３】
無線基地局との間で、搬送波周波数が異なる複数の下りリンクキャリア及び複数の上りリンクキャリアを用いた通信を行うことができるように構成されている移動局であって、
前記無線基地局から、新規下りリンクキャリアの追加を指示する指示信号を受信するように構成されている受信部と、
前記指示信号に応じて、前記新規下りリンクキャリアから推定されるパスロスに基づいて、上りリンク共有チャネルにおける所要の送信電力の推定値と該移動局の最大送信電力との差分情報を算出するように構成されている算出部と、
前記無線基地局に対して、前記差分情報を含む制御情報を送信するように構成されている送信部とを具備することを特徴とする移動局。
【請求項４】
無線基地局との間で、搬送波周波数が異なる複数の下りリンクキャリア及び複数の上りリンクキャリアを用いた通信を行うことができるように構成されている移動局であって、
前記無線基地局から、所定下りリンクキャリアのアクティブ状態への変更を指示する指示信号を受信するように構成されている受信部と、
前記指示信号に応じて、前記所定下りリンクキャリアから推定されるパスロスに基づいて、上りリンク共有チャネルにおける所要の送信電力の推定値と該移動局の最大送信電力との差分情報を算出するように構成されている算出部と、
前記無線基地局に対して、前記差分情報を含む制御情報を送信するように構成されている送信部とを具備することを特徴とする移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式では、移動局ＵＥは、無線基地局ｅＮＢに対して、所定の送信トリガに従って、ＰＵＳＣＨ（Ｐｈｙｓｉｃａｌ  Ｕｐｌｉｎｋ  Ｓｈａｒｅｄ  Ｃｈａｎｎｅｌ、上りリンク共有チャネル）を介して、Ｐｏｗｅｒ  ｈｅａｄｒｏｏｍを含むＰＨＲ（Ｐｏｗｅｒ  ｈｅａｄｒｏｏｍ  ｒｅｐｏｒｔ）を送信するように構成されている。
【０００３】
ここで、Ｐｏｗｅｒ  ｈｅａｄｒｏｏｍは、移動局ＵＥについてのＰＵＳＣＨにおける所要の送信電力の推定値と最大送信電力との差分情報である。なお、かかるＰＵＳＣＨにおける所要の送信電力は、下りリンクから推定されるパスロス（Ｐａｔｈｌｏｓｓ）に基づいて算出されるように構成されている。
【０００４】
移動局ＵＥは、下りリンクから実際にパスロスを推定するにあたって、無線基地局ｅＮＢにおける下りリンク共通パイロット信号（ｃｅｌｌ-ｓｐｅｃｉｆｉｃ  ｒｅｆｅｒｅｎｃｅ  ｓｉｇｎａｌ）の送信電力（Ｒｅｓｏｕｒｃｅ  Ｅｌｅｍｅｎｔ単位）と、移動局ＵＥにおける下りリンク共通パイロット信号の受信電力（Ｒｅｓｏｕｒｃｅ  Ｅｌｅｍｅｎｔ単位）との差によって、パスロスを算出するように構成されている。
【０００５】
無線基地局ｅＮＢは、ＰＨＲに基づいて、移動局ＵＥにおいて使用可能な送信電力がどれだけ余っているかについて把握し、移動局ＵＥに対する上りリンクリソースの割当を行うように構成されている。
【先行技術文献】
【非特許文献】
【０００６】
【非特許文献１】３ＧＰＰ  ＴＳ３６.１３３
【非特許文献２】３ＧＰＰ  ＴＳ３６.２１３
【非特許文献３】３ＧＰＰ  ＴＳ３６.３２１
【発明の概要】
【発明が解決しようとする課題】
【０００７】
ＬＴＥ方式の後継方式であるＬＴＥ-Ａｄｖａｎｃｅｄ方式では、移動局ＵＥは、無線基地局ｅＮＢとの間で、搬送波周波数が異なる複数のＤＬ  ＣＣ（Ｄｏｗｎｌｉｎｋ  Ｃｏｍｐｏｎｅｎｔ  Ｃａｒｒｉｅｒ、下りリンクキャリア）及び複数のＵＬ  ＣＣ（Ｕｐｌｉｎｋ  Ｃｏｍｐｏｎｅｎｔ  Ｃａｒｒｉｅｒ、上りリンクキャリア）を用いたＣＡ（Ｃａｒｒｉｅｒ  Ａｇｇｒｉｇａｔｉｏｎ）通信を行うことができるように構成されている。
【０００８】
ここで、かかるＣＡ通信において、新規ＤＬ  ＣＣを追加したケースや、非アクティブ状態のＤＬ  ＣＣをアクティブ状態に変更したケース等では、無線基地局ｅＮＢは、かかるＤＬ  ＣＣから推定されるパスロスに基づいて算出されたＰｏｗｅｒ  ｈｅａｄｒｏｏｍを受信するまでは、かかるＰｏｗｅｒ  ｈｅａｄｒｏｏｍに係るＵＬ  ＣＣにおいて使用可能な送信電力を把握することができないため、かかるＵＬ  ＣＣにおける適切なスケジューリングを行うことができないという問題点があった。
【０００９】
具体的には、各ＣＣにおけるパスロスは異なりうるため、移動局ＵＥとの間でのＣＡ通信に用いる各ＵＬ  ＣＣについて、移動局ＵＥがそれぞれのＵＬ  ＣＣでの送信電力を制御するために用いるパスロスを、どのＤＬ  ＣＣから推定すべきかについて、無線基地局ｅＮＢから移動局ＵＥに対して通知することが検討されている。
【００１０】
例えば、無線基地局ｅＮＢが、図１におけるＣＣの構成により、移動局ＵＥとＣＡ通信を行う場合であって、ＵＬ  ＰＣＣとＤＬ  ＰＣＣと同じパスロス環境にあって、ＵＬ  ＳＣＣ＃１とＵＬ  ＳＣＣ＃２とＤＬ  ＳＣＣ＃１とＤＬ  ＳＣＣ＃２とが（ＵＬ  ＰＣＣとＤＬ  ＰＣＣとは異なる）同じパスロス環境にある場合、無線基地局ｅＮＢは移動局ＵＥに対して、ＵＬ  ＰＣＣにおける送信電力を制御するために用いるパスロスをＤＬ  ＰＣＣから推定すべきであり、ＵＬ  ＳＣＣ＃１及びＵＬ  ＳＣＣ＃２における送信電力を制御するために用いるパスロスをＤＬ  ＳＣＣ＃１若しくはＤＬ  ＳＣＣ＃２から推定すべきであることを通知する。各ＣＣでのパスロスが異なる場合、各ＵＬ  ＣＣでの上りリンクのリソース割当てを無線基地局ｅＮＢが適切に行えるように、移動局ＵＥは、無線基地局ｅＮＢからパスロスの推定に用いるべきであると通知されたＤＬ  ＣＣの数の分だけの独立なＰｏｗｅｒ  Ｈｅａｄｒｏｏｍを無線基地局ｅＮＢに送信する必要がある。
【００１１】
上述の例では、移動局ＵＥは、ＤＬ  ＰＣＣから推定されたパスロスに基づいて算出されるＵＬ  ＰＣＣでのＰＵＳＣＨにおける所要の送信電力から求められるＰｏｗｅｒ  Ｈｅａｄｒｏｏｍと、ＤＬ  ＳＣＣ＃１若しくはＤＬ  ＳＣＣ＃２から推定されるパスロスに基づいて算出されるＵＬ  ＳＣＣ＃１及びＵＬ  ＳＣＣ＃２でのＰＵＳＣＨにおける所要の送信電力から求められるＰｏｗｅｒ  Ｈｅａｄｒｏｏｍとを、無線基地局ｅＮＢに送信する必要がある。
【００１２】
すると、無線基地局ｅＮＢは、移動局ＵＥがＤＬ  ＰＣＣから推定したパスロスに基づいて算出されるＵＬ  ＰＣＣでのＰＵＳＣＨにおける所要の送信電力から求めたＰｏｗｅｒ  Ｈｅａｄｒｏｏｍに基づいて、ＵＬ  ＰＣＣでの上りリンクのリソース割当てを行い、移動局がＤＬ  ＳＣＣ＃１若しくはＤＬ  ＳＣＣ＃２から推定したパスロスに基づいて算出したＵＬ  ＳＣＣ＃１及びＵＬ  ＳＣＣ＃２でのＰＵＳＣＨにおける所要の送信電力から求めたＰｏｗｅｒ  Ｈｅａｄｒｏｏｍに基づいて、ＵＬ  ＳＣＣ＃１及びＵＬ  ＳＣＣ＃２での上りリンクのリソース割当てを行う。
【００１３】
しかし、かかるＣＡ通信において、新規ＤＬ  ＣＣを追加したケースや、非アクティブ状態のＤＬ  ＣＣをアクティブ状態に変更したケース等では、無線基地局ｅＮＢは、かかるＤＬ  ＣＣにおけるパスロスに基づいて算出されたＰｏｗｅｒ  ｈｅａｄｒｏｏｍを受信するまでは、かかるＰｏｗｅｒ  ｈｅａｄｒｏｏｍに係るＵＬ  ＣＣにおいて使用可能な送信電力を把握することができないため、かかるＵＬ  ＣＣにおける適切なスケジューリングを行うことができないという問題点があった。
【００１４】
そこで、本発明は、上述の課題に鑑みてなされたものであり、ＣＡ通信において、新規ＤＬ  ＣＣを追加したケースや非アクティブ状態のＤＬ  ＣＣをアクティブ状態に変更したケースにおいて、当該ＤＬ  ＣＣから推定されるパスロスに基づいて算出されるＰｏｗｅｒ  ｈｅａｄｒｏｏｍに係るＵＬ  ＣＣにおける適切なスケジューリングを早急に行うことができる移動通信方法及び移動局を提供することを目的とする。
【課題を解決するための手段】
【００１５】
本発明の第１の特徴は、移動局が、無線基地局との間で、搬送波周波数が異なる複数の下りリンクキャリア及び複数の上りリンクキャリアを用いた通信を行う移動通信方法であって、前記無線基地局が、前記移動局に対して、新規下りリンクキャリアの追加を指示する指示信号を送信する工程と、前記移動局が、前記指示信号に応じて、前記新規下りリンクキャリアから推定されるパスロスに基づいて、上りリンク共有チャネルにおける所要の送信電力の推定値と該移動局の最大送信電力との差分情報を算出する工程と、前記移動局が、前記無線基地局に対して、前記差分情報を含む制御情報を送信する工程とを有することを要旨とする。
【００１６】
本発明の第２の特徴は、移動局が、無線基地局との間で、搬送波周波数が異なる複数の下りリンクキャリア及び複数の上りリンクキャリアを用いた通信を行う移動通信方法であって、前記無線基地局が、前記移動局に対して、所定下りリンクキャリアのアクティブ状態への変更を指示する指示信号を送信する工程と、前記移動局が、前記指示信号に応じて、前記所定下りリンクキャリアから推定されるパスロスに基づいて、上りリンク共有チャネルにおける所要の送信電力の推定値と該移動局の最大送信電力との差分情報を算出する工程と、前記移動局が、前記無線基地局に対して、前記差分情報を含む制御情報を送信する工程とを有することを要旨とする。
【００１７】
本発明の第３の特徴は、無線基地局との間で、搬送波周波数が異なる複数の下りリンクキャリア及び複数の上りリンクキャリアを用いた通信を行うことができるように構成されている移動局であって、前記無線基地局から、新規下りリンクキャリアの追加を指示する指示信号を受信するように構成されている受信部と、前記指示信号に応じて、前記新規下りリンクキャリアから推定されるパスロスに基づいて、上りリンク共有チャネルにおける所要の送信電力の推定値と該移動局の最大送信電力との差分情報を算出するように構成されている算出部と、前記無線基地局に対して、前記差分情報を含む制御情報を送信するように構成されている送信部とを具備することを要旨とする。
【００１８】
本発明の第４の特徴は、無線基地局との間で、搬送波周波数が異なる複数の下りリンクキャリア及び複数の上りリンクキャリアを用いた通信を行うことができるように構成されている移動局であって、前記無線基地局から、所定下りリンクキャリアのアクティブ状態への変更を指示する指示信号を受信するように構成されている受信部と、前記指示信号に応じて、前記所定下りリンクキャリアから推定されるパスロスに基づいて、上りリンク共有チャネルにおける所要の送信電力の推定値と該移動局の最大送信電力との差分情報を算出するように構成されている算出部と、前記無線基地局に対して、前記差分情報を含む制御情報を送信するように構成されている送信部とを具備することを要旨とする。
【発明の効果】
【００１９】
以上説明したように、本発明によれば、ＣＡ通信において、新規ＤＬ  ＣＣを追加したケースや非アクティブ状態のＤＬ  ＣＣをアクティブ状態に変更したケースにおいて、当該ＤＬ  ＣＣにおけるパスロスに基づいて算出されるＰｏｗｅｒ  ｈｅａｄｒｏｏｍに係るＵＬ  ＣＣにおけるスケジューリングを早急に適切に行うことができる移動通信方法及び移動局を提供することができる。
【図面の簡単な説明】
【００２０】
【図１】本発明の第１の実施形態に係る移動通信システムで行われているＣＡ通信について説明するための図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムの動作を示すシーケンス図である。
【図５】本発明の第１の実施形態に係る移動通信システムの動作を示すシーケンス図である。
【発明を実施するための形態】
【００２１】
（本発明の第１の実施形態に係る移動通信システム）
図１乃至図５を参照して、本発明の第１の実施形態に係る移動通信システムの構成について説明する。
【００２２】
本実施形態に係る移動通信システムは、ＬＴＥ-Ａｄｖａｎｃｅｄ方式の移動通信システムであって、本実施形態に係る移動通信システムにおいて、移動局ＵＥは、無線基地局ｅＮＢとの間で、搬送周波数の異なる複数のＣＣを用いてＣＡ通信を行うことができるように構成されている。
【００２３】
また、本実施形態に係る移動通信システムでは、図１に示すように、移動局ＵＥは、ＵＬ  ＰＣＣ（Ｕｐｌｉｎｋ  Ｐｒｉｍａｒｙ  Ｃｏｍｐｏｎｅｎｔ  Ｃａｒｒｉｅｒ）と、ＵＬ  ＳＣＣ（Ｕｐｌｉｎｋ  Ｓｅｃｏｎｄａｒｙ  Ｃｏｍｐｏｎｅｎｔ  Ｃａｒｒｉｅｒ）＃１と、ＵＬ  ＳＣＣ＃２と、ＤＬ  ＰＣＣ（Ｄｏｗｎｌｉｎｋ  Ｐｒｉｍａｒｙ  Ｃｏｍｐｏｎｅｎｔ  Ｃａｒｒｉｅｒ）と、ＤＬ  ＳＣＣ＃１と、ＤＬ  ＳＣＣ＃２とを用いて、ＣＡ通信を行っているものとする。
【００２４】
図２に示すように、移動局ＵＥは、送信部１１と、ＣＡ制御部１２と、Ｐｏｗｅｒ  ｈｅａｄｒｏｏｍ算出部１３と、受信部１４とを具備している。
【００２５】
受信部１１は、無線基地局ｅＮＢによって送信された信号を受信するように構成されている。
【００２６】
例えば、受信部１１は、無線基地局から、新規ＤＬ  ＣＣの追加を指示する「ＲＲＣ  Ｃｏｎｎｅｃｔｉｏｎ  Ｒｅｃｏｎｆｉｇｕｒａｔｉｏｎ」等のＲＲＣメッセージを受信するように構成されている。
【００２７】
また、受信部１１は、無線基地局から、所定ＤＬ  ＣＣのアクティブ状態への変更を指示する「Ａｃｔｉｖｅ  ＤＬ  ＣＣ＃Ｘ」等のＭＡＣ信号を受信するように構成されている。
【００２８】
ＣＡ制御部１２は、移動局ＵＥによるＣＡ通信に係る制御を行うように構成されている。
【００２９】
例えば、移動局ＵＥが、ＣＡ通信を行っている場合、ＣＡ制御部１２は、ＲＲＣレイヤにおいて、無線基地局ｅＮＢからの指示（具体的には、ＲＲＣメッセージ）に応じて、新規にＣＣを追加したり、既存のＣＣを削除したり、ＰＣＣを変更したりすることができるように構成されている。
【００３０】
また、移動局ＵＥが、ＣＡ通信を行っている場合、ＣＡ制御部１２は、ＭＡＣレイヤにおいて、無線基地局ｅＮＢからの指示（具体的には、「ＭＡＣ  Ｃｏｎｔｒｏｌ  Ｅｌｅｍｅｎｔ」）に応じて、ＣＡ通信で用いられている各ＣＣの状態（アクティブ状態又は非アクティブ状態）を設定するように構成されている。
【００３１】
Ｐｏｗｅｒ  ｈｅａｄｒｏｏｍ算出部１４は、所定のＤＬ  ＣＣから推定されるパスロスに基づいて、Ｐｏｗｅｒ  ｈｅａｄｒｏｏｍを算出するように構成されている。
【００３２】
例えば、Ｐｏｗｅｒ  ｈｅａｄｒｏｏｍ算出部１４は、ＣＡ制御部１２によって新規に追加されたＤＬ  ＣＣから推定されるパスロスに基づいて、Ｐｏｗｅｒ  ｈｅａｄｒｏｏｍを算出するように構成されている。
【００３３】
また、Ｐｏｗｅｒ  ｈｅａｄｒｏｏｍ算出部１４は、アクティブ状態に変更になった所定ＤＬ  ＣＣから推定されるパスロスに基づいて、Ｐｏｗｅｒ  ｈｅａｄｒｏｏｍを算出するように構成されている。
【００３４】
送信部１４は、無線基地局ｅＮＢに対して、信号を送信するように構成されている。
【００３５】
例えば、送信部１４は、無線基地局ｅＮＢに対して、上述のＰｏｗｅｒ  ｈｅａｄｒｏｏｍを含む「ＭＡＣ  Ｃｏｎｔｒｏｌ  Ｅｌｅｍｅｎｔ（ＰＨＲ）」を送信するように構成されている。
【００３６】
図３に示すように、無線基地局ｅＮＢは、送信部２１と、受信部２２と、ＣＡ制御部２３と、スケジューリング部２４とを具備している。
【００３７】
送信部２１は、移動局ＵＥに対して、信号を送信するように構成されている。例えば、送信部２１は、移動局ＵＥに対して、新規ＤＬ  ＣＣの追加を指示する「ＲＲＣ  Ｃｏｎｎｅｃｔｉｏｎ  Ｒｅｃｏｎｆｉｇｕｒａｔｉｏｎ」等のＲＲＣメッセージや、所定ＤＬ  ＣＣのアクティブ状態への変更を指示する「Ａｃｔｉｖｅ  ＤＬ  ＣＣ＃Ｘ」等のＭＡＣ信号を送信するように構成されている。
【００３８】
受信部２２は、移動局ＵＥによって送信された信号を受信するように構成されている。
【００３９】
例えば、受信部２２は、移動局ＵＥから、Ｐｏｗｅｒ  ｈｅａｄｒｏｏｍを含む「ＭＡＣ  Ｃｏｎｔｒｏｌ  Ｅｌｅｍｅｎｔ（ＰＨＲ）」を受信するように構成されている。ここで、受信部２２は、移動局ＵＥによるＣＡ通信で用いられているＤＬ  ＣＣの数のＰＨＲを受信するように構成されている。
【００４０】
また、受信部２２は、移動局ＵＥがパスロスの推定に用いるＤＬ  ＣＣの数の分のみのＰＨＲを受信するように構成されていてもよい。
【００４１】
ＣＡ制御部２３は、移動局ＵＥによるＣＡ通信に係る制御を行うように構成されている。
【００４２】
例えば、ＣＡ制御部２３は、ＲＲＣレイヤにおいて、ＲＲＣメッセージ（例えば、「ＲＲＣ  Ｒｅｃｏｎｆｉｇｕｒａｔｉｏｎ」メッセージ等）を用いて、ＣＡ通信を行っている移動局ＵＥに対して、新規にＣＣの追加や、既存のＣＣの削除や、ＰＣＣの変更を指示することができるように構成されている。
【００４３】
ここで、移動局ＵＥが、ＲＲＣ_Ｉｄｌｅ状態からＲＲＣ_Ｃｏｎｎｅｃｔｅｄ状態に遷移し、ＬＴＥ（Ｒｅｌｅａｓｅ８/９）方式の場合と同様に、１つのＤＬ  ＣＣ及び１つのＵＬ  ＣＣを用いて通信を開始した後に、ＣＡ制御部２３は、ＲＲＣレイヤにおいて、ＲＲＣメッセージを用いて、２つ目以降のＤＬ  ＣＣ及びＵＬ  ＣＣの追加を指示するように構成されている。
【００４４】
また、例えば、ＣＡ制御部２３は、ＭＡＣレイヤにおいて、「ＭＡＣ  Ｃｏｎｔｒｏｌ  Ｅｌｅｍｅｎｔ」を用いて、ＣＡ通信で用いられている各ＣＣの状態（アクティブ状態又は非アクティブ状態）の設定を指示するように構成されている。
【００４５】
スケジューリング部２４は、受信部２２によって受信されたＰＨＲに基づいて、移動局ＵＥに対するスケジューリング処理を行うように構成されている。
【００４６】
例えば、スケジューリング部２４は、かかるＰＨＲに基づいて、ＰＵＳＣＨにおけるＲＢ（Ｒｅｓｏｕｒｃｅ  Ｂｌｏｃｋ）の割り当てや、ＰＵＳＣＨにおけるＴＢＳ（Ｔｒａｎｓｐｏｒｔ  Ｂｌｏｃｋ  Ｓｉｚｅ）の割り当てや、ＴＴＩ  ｂｕｎｄｌｉｎｇの適用の有無についての決定や、ＳＲＳ（Ｓｏｕｎｄｉｎｇ  Ｒｅｆｅｒｅｎｃｅ  Ｓｉｇｎａｌ）の送信帯域幅の決定等を行うように構成されている。
【００４７】
以下、図４及び図５を参照して、本実施形態に係る移動通信システムの動作について説明する。
【００４８】
第１に、図４に示すように、ステップＳ１００１において、無線基地局ｅＮＢが、ＣＡ通信を行っている移動局ＵＥに対して、新規ＤＬ  ＣＣの追加を指示する「ＲＲＣ  Ｃｏｎｎｅｃｔｉｏｎ  Ｒｅｃｏｎｆｉｇｕｒａｔｉｏｎ」を送信する。
【００４９】
ステップＳ１００２において、移動局ＵＥは、かかる「ＲＲＣ  Ｃｏｎｎｅｃｔｉｏｎ  Ｒｅｃｏｎｆｉｇｕｒａｔｉｏｎ」に応じて、新規に追加されたＤＬ  ＣＣから推定されるパスロスに基づいてＰｏｗｅｒ  ｈｅａｄｒｏｏｍを算出し、無線基地局ｅＮＢに対して、かかるＰｏｗｅｒ  ｈｅａｄｒｏｏｍを含む「ＭＡＣ  Ｃｏｎｔｒｏｌ  Ｅｌｅｍｅｎｔ（ＰＨＲ）」を送信する。
【００５０】
第２に、図５に示すように、ステップＳ２００１において、無線基地局ｅＮＢが、ＣＡ通信を行っている移動局ＵＥに対して、既存のＤＬ  ＣＣのアクティブ状態への変更を指示する「Ａｃｔｉｖｅ  ＤＬ  ＣＣ＃Ｘ」を送信する。
【００５１】
ステップＳ２００２において、移動局ＵＥは、かかる「Ａｃｔｉｖｅ  ＤＬ  ＣＣ＃Ｘ」に応じて、アクティブ状態に変更されたＤＬ  ＣＣから推定されるパスロスに基づいてＰｏｗｅｒ  ｈｅａｄｒｏｏｍを算出し、無線基地局ｅＮＢに対して、かかるＰｏｗｅｒ  ｈｅａｄｒｏｏｍを含む「ＭＡＣ  Ｃｏｎｔｒｏｌ  Ｅｌｅｍｅｎｔ（ＰＨＲ）」を送信する。
【００５２】
本実施形態に係る移動通信システムによれば、移動局ＵＥが、新規ＤＬ  ＣＣの追加を指示する「ＲＲＣ  Ｃｏｎｎｅｃｔｉｏｎ  Ｒｅｃｏｎｆｉｇｕｒａｔｉｏｎ」や既存のＤＬ  ＣＣのアクティブ状態への変更を指示する「Ａｃｔｉｖｅ  ＤＬ  ＣＣ＃Ｘ」を受信した場合に、かかるＤＬ  ＣＣから推定されるパスロスに基づいて算出したＰｏｗｅｒ  ｈｅａｄｒｏｏｍを、無線基地局ｅＮＢに対して即座に送信するように構成されているため、無線基地局ｅＮＢは、かかるＰｏｗｅｒ  ｈｅａｄｒｏｏｍに係るＵＬ  ＣＣにおける適切なスケジューリングを早急に行うことができる。
【００５３】
以上に述べた本実施形態の特徴は、以下のように表現されていてもよい。
【００５４】
本実施形態の第１の特徴は、移動局ＵＥが、無線基地局ｅＮＢとの間で、搬送波周波数が異なる複数のＤＬ  ＣＣ（下りリンクキャリア）及び複数のＵＬ  ＣＣ（上りリンクキャリア）を用いたＣＡ通信を行う移動通信方法であって、無線基地局ｅＮＢが、移動局ＵＥに対して、新規ＤＬ  ＣＣの追加を指示する「ＲＲＣ  Ｃｏｎｎｅｃｔｉｏｎ  Ｒｅｃｏｎｆｉｇｕｒａｔｉｏｎ（指示信号）」を送信する工程と、移動局ＵＥが、「ＲＲＣ  Ｃｏｎｎｅｃｔｉｏｎ  Ｒｅｃｏｎｆｉｇｕｒａｔｉｏｎ」に応じて、新規ＤＬ  ＣＣから推定されるパスロスに基づいて、ＰＵＳＣＨ（上りリンク共有チャネル）における所要の送信電力の推定値と移動局ＵＥの最大送信電力との差分情報（Ｐｏｗｅｒ  ｈｅａｄｒｏｏｍ）を算出する工程と、移動局ＵＥが、無線基地局ｅＮＢに対して、Ｐｏｗｅｒ  ｈｅａｄｒｏｏｍを含む「ＭＡＣ  Ｃｏｎｔｒｏｌ  Ｅｌｅｍｅｎｔ（制御情報）」を送信する工程とを有することを要旨とする。
【００５５】
本実施形態の第２の特徴は、移動局ＵＥが、無線基地局ｅＮＢとの間で、搬送波周波数が異なる複数のＤＬ  ＣＣ及び複数のＵＬ  ＣＣを用いたＣＡ通信を行う移動通信方法であって、無線基地局ｅＮＢが、移動局ＵＥに対して、所定ＤＬ  ＣＣのアクティブ状態への変更を指示する「Ａｃｔｉｖｅ  ＤＬ  ＣＣ＃Ｘ（指示信号）」を送信する工程と、移動局ＵＥが、「Ａｃｔｉｖｅ  ＤＬ  ＣＣ＃Ｘ」に応じて、所定ＤＬ  ＣＣから推定されるパスロスに基づいて、Ｐｏｗｅｒ  ｈｅａｄｒｏｏｍを算出する工程と、移動局ＵＥが、無線基地局ｅＮＢに対して、Ｐｏｗｅｒ  ｈｅａｄｒｏｏｍを含む「ＭＡＣ  Ｃｏｎｔｒｏｌ  Ｅｌｅｍｅｎｔ」を送信する工程とを有することを要旨とする。
【００５６】
本実施形態の第３の特徴は、無線基地局ｅＮＢとの間で、搬送波周波数が異なる複数のＤＬ  ＣＣ及び複数のＵＬ  ＣＣを用いたＣＡ通信を行うことができるように構成されている移動局ＵＥであって、無線基地局ｅＮＢから、新規ＤＬ  ＣＣの追加を指示する「ＲＲＣ  Ｃｏｎｎｅｃｔｉｏｎ  Ｒｅｃｏｎｆｉｇｕｒａｔｉｏｎ」を受信するように構成されている受信部１２と、「ＲＲＣ  Ｃｏｎｎｅｃｔｉｏｎ  Ｒｅｃｏｎｆｉｇｕｒａｔｉｏｎ」に応じて、新規ＤＬ  ＣＣから推定されるパスロスに基づいて、Ｐｏｗｅｒ  ｈｅａｄｒｏｏｍを算出するように構成されているＰｏｗｅｒ  ｈｅａｄｒｏｏｍ算出部１４と、無線基地局ｅＮＢに対して、Ｐｏｗｅｒ  ｈｅａｄｒｏｏｍを含む「ＭＡＣ  Ｃｏｎｔｒｏｌ  Ｅｌｅｍｅｎｔ」を送信するように構成されている送信部１１とを具備することを要旨とする。
【００５７】
本実施形態の第４の特徴は、無線基地局ｅＮＢとの間で、搬送波周波数が異なる複数のＤＬ  ＣＣ及び複数のＵＬ  ＣＣを用いたＣＡ通信を行うことができるように構成されている移動局ＵＥであって、無線基地局ｅＮＢから、所定ＤＬ  ＣＣのアクティブ状態への変更を指示する「Ａｃｔｉｖｅ  ＤＬ  ＣＣ＃Ｘ」を受信するように構成されている受信部１２と、「Ａｃｔｉｖｅ  ＤＬ  ＣＣ＃Ｘ」に応じて、所定ＤＬ  ＣＣから推定されるパスロスに基づいて、Ｐｏｗｅｒ  ｈｅａｄｒｏｏｍを算出するように構成されているＰｏｗｅｒ  ｈｅａｄｒｏｏｍ算出部１４と、無線基地局ｅＮＢに対して、Ｐｏｗｅｒ  ｈｅａｄｒｏｏｍを含む「ＭＡＣ  Ｃｏｎｔｒｏｌ  Ｅｌｅｍｅｎｔ」を送信するように構成されている送信部１１とを具備することを要旨とする。
【００５８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６２】
ＵＥ…移動局
ｅＮＢ…無線基地局
１４、２１…送信部
１１、２２…受信部
１２、２３…ＣＡ制御部
１３…Ｐｏｗｅｒ  ｈｅａｄｒｏｏｍ算出部
２４…スケジューリング部
【図１】
2011250479.tif 000003
【図２】
2011250479.tif 000004
【図３】
2011250479.tif 000005
【図４】
2011250479.tif 000006
【図５】
2011250479.tif 000007